(57)【要約】      （修正有）【課題】屋根上の危険な除雪作業や毎年かかる業者による多額な除雪費による家計への負担を解決する自動除雪機を提供する。【解決手段】降雪感知機を備え、駆動ローラー６の連結により、屋根面積にあわせた設置を可能とし、降雪の感知と共に屋根上に設置した小型ベルトコンベアーに組込まれたモーターの始動により自動的に除雪を行なう。【選択図】図１
2014237995.tif 000002
【特許請求の範囲】
【請求項１】
降雪感知機を備え、降雪の感知と共に屋根上に設置された、小型ベルトコンベアーが自動的に作動し、除雪を行なう自動除雪機
【請求項２】
駆動ローラーの連結により、屋根面積にあわせ設置を可能とした、小型ベルトコンベアー除雪機
【請求項３】
駆動ローラー両端に小巾のマジックテープを施し、テープ間に弾性ゴムを備え駆動ローラーを相対する位置に同巾のマジックテープを備えた、除雪ベルトを有する小型ベルトコンベアー除雪機
【請求項４】
除雪ベルトにたえず張りを与える事が出来る、除雪ベルト負荷装置を備えた小型ベルトコンベアー除雪機
【請求項５】
除雪ベルトに落ちきれず付着した雪を、軒下へ落とす事が出来る。
除雪ヘラを備えた、小型ベルトコンベアー除雪機
【発明の詳細な説明】
【技術分野】
【０００１】  屋根上の除雪作業に関する
【背景技術】
【０００２】  屋根上の除雪作業の多くは人力により行なわれている。
【発明の概要】
【発明が解決しようとする課題】
【０００３】  屋根上の除雪作業は重労働であると共に、大変危険な作業である。
毎年落雪、落下など、事故が多発している。又毎年かかる業者による除雪費も多額であり家計の負担となっている。以上を課題とする。
【課題を解決する為の手段】
【０００４】  本発明は降雪感知機を設置し、降雪の感知と共に屋根上に設置した小型ベルトコンベアーが自動的に作動し、除雪を行なう物とした。
本装置は駆動ローラーの連結によって設置される。連結する事により屋根形状によっては屋根全面に設置が可能な物とした。
尚家屋倒壊回避の為部分設置も可能である。
本発明は駆動ローラーと除雪ベルトの相対する位置にマジックテープを備える事により着実に駆動力を伝達出来る物とした。
更に除雪ベルトに負荷を加える事により除雪ベルトはたえず張りを保つ事が出来る。
尚駆動ローラー下部には除雪ヘラを備えた。
除雪ヘラは除雪ベルト上に落ちきれず付着した雪を軒下に落とす事が出来る。
本発明装置を設置する事により、上記課題を解決する。
【発明の効果】
【０００５】  上記に記したように本発明装置はマジックテープを備える事により着実に駆動力を伝達する事が出来る。従って駆動ローラーは小径にて製作が可能となる。
これに伴い各部材の全てが縮小出来る為、少量の資材にて小さく軽いベルトコンベアーの製作が可能となった。これにより設置時、屋根に負担がかからない。
又降雪感知機を備える事により、降雪時たえず除雪ベルトは軒先方向へ回動し雪を軒下に落とす事が出来る。従って除雪ベルト上に多くの雪が積もる事はない。
結果、除雪ベルトにかかる負担は軽い物となる。
従って除雪ベルトは薄く軽い素材にて製作が可能となり、製作コストをおさえる事が出来る。
本発明装置は全ての部材を縮小化する事により製作コストをおさえる事が出来る為、安価にて提供する事が出来る。
本発明装置を設置する事により、危険な屋根上の除雪作業を回避出来ると共に毎年かかる業者による多額な除雪費は不要となる。
【図面の簡単な説明】
【０００６】
【図１】駆動ローラー及び各部材平面配置図
【図２】上部除雪ベルトおさまり及びローラー側面配置図
【図３】駆動部おさまり及び駆動ローラー正面断面図
【図４】除雪ヘラおさまり及び雪、雨落下図
【図５】駆動部おさまり左側面図
【図６】駆動部及び各部材おさまり平面図
【図７】フレーム本体図及び除雪ヘラおさまり側面図
【図８】最前部駆動部おさまり平面図
【図９】除雪ヘラ正面おさまり図及び各部材セット図
【図１０】最上部ベルト受ローラー平面おさまり図
【図１１】最上部ベルト受ローラー内部おさまり正面断面図
【図１２】最上部ベルト受ローラー及びローラー受詳細図
【図１３】除雪ベルト負荷装置おさまり平面図
【図１４】駆動部フレーム平面図
【図１５】駆動部フレーム側面図
【図１６】中間連結フレーム平面図
【図１７】中間連結フレーム側面図
【図１８】ギヤードモートル及び「フレーム」「各ローラー」配置図
【図１９】駆動ローラー正面図
【図２０】除雪ベルト正面断面図
【発明を実施する為の形態】
【０００７】  本発明は屋根上に設置した小型ベルトコンベアーにより自動的に除雪を行なえる物とした。降雪感知機を備える事により降雪の感知と共にギヤードモートルに電源が入りコンベアーは始動し、軒先へと除雪ベルトは回動し雪を軒下に落とす事が出来る。又落ちきれずベルトに付着した雪は駆動ローラー下部に備えた除雪ヘラにより軒下へと落とす事が出来る。
尚降雪感知時たえずベルトは回動し除雪を行ない降雪終了時電源は切れ自動停止する物とした。
尚駆動部及び各フレームは全面笠木によって覆う物とした。これにより各部材の保護と共に野鳥及び小動物の進入を防ぐ事が出来る上屋根の景観を損なわない物とした。
【実施例】
【０００８】  本発明は降雪感知機を設置し「設置場所はいとわない」降雪の感知と共に感知機より発せられた信号により自動的にスイッチが入り、屋根上に設置された小型ベルトコンベアーに組込まれたギヤードモートル「４」に送電され自動的に始動する物とした。
尚降雪感知終了時スイッチは切れ自動停止する物とした。
ギヤードモートルの始動により除雪ベルト「１」は緩やかに矢印方向へと回動し「図１」ベルト上に積もった雪を軒下に落とす事が出来る。又雨水は除雪ヘラ「１２」の下面に伝わり軒どいの中に落とす事が出来る。「図４」
尚除雪ヘラ「１２」下部には若干の隙間を設け既設屋根に浸水した雨水を軒どいに流せる物とした。
本発明装置は駆動ローラー「６」及びフレーム「１０」を連結する事により形成される。
屋根形状によっては屋根面積に合わせ全面設置も可能である。全面設置においては最終列の各ローラー巾の調整及びフレームの長さ調整にて行なう物とする。
しかしながら本発明装置の第一目的は家屋の倒壊防止であり必ずしも全面設置は必要なく、従って部分設置でも良い。
本装置を部分設置する事により家屋の倒壊を防止する事が出来る。
本発明の自動除雪機は駆動ローラー「６」に小巾のマジックテープ「２６」を駆動ローラー両端に巻き込みテープ間には弾性ゴムを施した。
又除雪ベルト「１」内面には駆動ローラー「６」と相対する位置に同巾のマジックテープ「２６」を施す事により着実に駆動力を除雪ベルト「１」に伝達出来る物とした。「図１９」「図２０」駆動力を着実に伝達出来る事により小径の駆動ローラーにてのベルトコンベアーの製作が可能となった。
駆動ローラー「６」を小径にする事により全ての部材を縮小する事が出来る。
結果、小さく軽いベルトコンベアーの製作が可能となり設置時屋根に負担がかからない物とした。
尚本装置の駆動部及び各フレーム部分は全面笠木にて覆う物とした。
笠木にて覆う事により各部材の保護と共に、野鳥及び小動物の進入を防ぐ事が出来る。
又笠木で覆う事により屋根の景観を損なわない物とした。【０００９】上記に示したように本発明装置は小径の駆動ローラーにて着実に駆動力を伝達する事により全ての部材を縮小出来る。
従って少ない資材にてベルトコンベアーの製作が可能となり、結果製作コストを大幅に下げる事が出来る。従って安価にて本装置を提供する事が出来る。
本発明装置を使用する事により、屋根上の危険な除雪作業を回避出来ると共に毎年かかる業者における除雪費は不要となる。
【符号の説明】
【００１０】０１  水返し付除雪ベルト            １６  最上部フリーローラー受け
０２  ベルト受ローラー（小）        １７  最上部フリーローラー前後調整ボルト
０３  駆動用シンクロベルト          １８  ベアリング押さえリング
０４  ギヤードモートル              １９  笠木
０５  ベルト受ローラー  （大）      ２０  スプリング
０６  駆動ローラー                  ２１  除雪ベルト張り調整ネジ
０７  ローラー受け                  ２２  負荷用ローラーガイドレール
０８  ベアリング                    ２３  シンクロプーリ
０９  フレームジョイント            ２４  弾性ゴム
１０  フレーム本体                  ２５  円筒キャップ
１１  フレームジョイントパイプ      ２６  マジックテープ
１２  除雪ヘラ                      ２７  除雪ベルト水返し
１３  シャフト                      ２８  モーターベース
１４  連結シャフト固定リング        ２９  負荷用ローラー（テンションローラー）
１５  最上部フリーローラー          ３０  水抜き穴
３１  笠木受ボルト
【図１】
2014237995.tif 000003
【図２】
2014237995.tif 000004
【図３】
2014237995.tif 000005
【図４】
2014237995.tif 000006
【図５】
2014237995.tif 000007
【図６】
2014237995.tif 000008
【図７】
2014237995.tif 000009
【図８】
2014237995.tif 000010
【図９】
2014237995.tif 000011
【図１０】
2014237995.tif 000012
【図１１】
2014237995.tif 000013
【図１２】
2014237995.tif 000014
【図１３】
2014237995.tif 000015
【図１４】
2014237995.tif 000016
【図１５】
2014237995.tif 000017
【図１６】
2014237995.tif 000018
【図１７】
2014237995.tif 000019
【図１８】
2014237995.tif 000020
【図１９】
2014237995.tif 000021
【図２０】
2014237995.tif 000022